(57)【要約】      （修正有）【課題】原稿の画像に適した紙サイズと紙種の用紙を適切に自動選択して記録出力する画像形成装置を提供する。【解決手段】画像形成装置１は、原稿の画像を、スキャナ６で読み取ってプロッタ７で記録し、当該画像を記録したロール紙を所定の定形サイズに切断するに際して、プロッタ７の各種幅サイズの長尺のロール紙を収納する給紙トレイの複数の幅サイズのロール紙のうち１つのロール紙を自動選択して、原稿の画像を９０度または２７０度回転させた状態で当該選択したロール紙に記録して切断する。この場合、画像形成装置１は、切断後の用紙の副走査長が給紙トレイからのロール紙の最低搬送長よりも短いと、当該ロール紙を選択対象のロール紙から外す。したがって、最低搬送長がロール紙の短手方向の寸法未満になってしまう場合にも、ユーザが意識することなく、原稿画像に適したロール紙を自動選択することができる。【選択図】    図１
2005007694.tif 000002
【特許請求の範囲】
【請求項１】
載置された原稿を給紙する原稿給紙手段と、原稿給紙手段で給紙された当該原稿を主走査及び副走査して当該原稿の画像を読み取る読取手段と、当該原稿の主走査長と副走査長を検知するサイズ検知手段と、所定の最低搬送長を有し各種幅サイズの長尺のロール紙を収納して当該ロール紙を給紙するロール紙給紙手段と、当該ロール紙給紙手段から送られてくるロール紙に前記読取手段で読み取った原稿の画像を記録出力する記録手段と、当該記録手段で画像の記録されたロール紙を所定の定形サイズで切断する切断手段と、を備え、前記ロール紙給紙手段の複数の幅サイズのロール紙のうち、前記検知した原稿の主走査長と副走査長に基づいて、前記原稿の画像を非回転状態あるいは９０度または２７０度回転させた状態で記録するのに適した前記ロール紙を自動選択して、当該原稿の画像を前記記録手段で記録して、当該画像を記録したロール紙を前記切断手段で切断する画像形成装置であって、前記ロール紙給紙手段の複数のロール紙の１つのロール紙を自動選択して、前記原稿の画像を９０度または２７０度回転させた状態で当該選択したロール紙に前記記録手段で記録して前記切断手段で切断する場合、当該ロール紙の自動選択において、当該切断手段での切断後の用紙の副走査長が前記ロール紙給紙手段の最低搬送長よりも短いと、当該ロール紙を前記選択対象のロール紙から外すことを特徴とする画像形成装置。
【請求項２】
載置された原稿を給紙する原稿給紙手段と、原稿給紙手段で給紙された当該原稿を主走査及び副走査して当該原稿の画像を読み取る読取手段と、当該原稿の主走査長と副走査長を検知するサイズ検知手段と、各種紙種及び各種サイズの用紙を収納する給紙手段と、当該給紙手段の用紙の紙種を設定する紙種設定手段と、当該給紙手段から送られてくる用紙に前記読取手段で読み取った原稿の画像を記録出力する記録手段と、を備え、前記給紙手段の用紙のうち、前記検知した原稿の主走査長と副走査長、前記紙種設定手段で設定されている紙種及び前記用紙のサイズに基づいて、前記原稿の画像を非回転状態あるいは９０度または２７０度回転させた状態で記録するのに適したサイズと紙種の前記用紙を自動選択して、当該原稿の画像を前記記録手段で記録する画像形成装置であって、前記用紙の紙種に基づく前記用紙の選択の制限を行うか否かの制限の有無の設定を行う設定手段を備え、前記給紙手段の複数の用紙の１つの用紙を自動選択する場合に、前記設定手段による前記紙種による用紙の選択の制限の有無の設定状態に基づいて、当該記録する用紙の自動選択を行うことを特徴とする画像形成装置。
【請求項３】
載置された原稿を給紙する原稿給紙手段と、原稿給紙手段で給紙された当該原稿を主走査及び副走査して当該原稿の画像を読み取る読取手段と、当該原稿の主走査長と副走査長を検知するサイズ検知手段と、各種サイズのカット紙を収納して当該カット紙を給紙するカット紙給紙手段と、各種幅サイズの長尺のロール紙を収納して当該ロール紙を給紙するロール紙給紙手段と、当該カット紙給紙手段または当該ロール紙給紙手段から送られてくる用紙に前記読取手段で読み取った原稿の画像を記録出力する記録手段と、当該記録手段で記録されたロール紙を所定の定形サイズで切断する切断手段と、を備えた画像形成装置であって、前記検知した原稿の主走査長と副走査長に基づいて、前記原稿の画像を非回転状態あるいは９０度または２７０度回転させた状態で記録するのに適した用紙として前記カット紙を優先して自動選択し、前記カット紙給紙手段の前記複数サイズのカット紙の全てが、当該検知した主走査長及び副走査長に不適合であると、前記ロール紙給紙手段の前記ロール紙から前記原稿の画像を記録するロール紙を自動選択することを特徴とする画像形成装置。
【発明の詳細な説明】
【０００１】
【発明の属する技術分野】
本発明は、画像形成装置に関し、詳細には、原稿の画像に適した紙サイズと紙種の用紙を適切に自動選択して記録出力する画像形成装置に関する。
【０００２】
【従来の技術】
【特許文献１】
特開２００１−１８９８２６号公報
【特許文献２】
特開２００１−３０９１１５号公報
【特許文献３】
特開平３−６８２６７号公報
複写装置や複写機能を備えたファクシミリ装置等の画像形成装置においては、原稿サイズ、複写倍率及び用紙サイズに基づいて画像をそのまま用紙に記録出力するか、画像を９０度または２７０度回転させて記録出力するかを自動判別して記録出力する自動画像回転機能を備えた画像形成装置や画像の欠けや余白を発生させることなく、最適な用紙を選択して記録出力する自動用紙選択機能を備えた画像形成装置が出現している（特許文献１〜特許文献３参照）。
【０００３】
また、従来から画像形成装置においては、Ａ０幅等の大判サイズの用紙に画像を記録する広幅デジタル複写装置等の広幅機があり、このような広幅機においても自動画像回転機能や自動用紙選択機能を備えたものが出現している。
【０００４】
【発明が解決しようとする課題】
しかしながら、このような従来の画像形成装置にあっては、自動選択機能や自動画像回転機能を実現する場合、広幅機では、Ａ０幅等の大判サイズの用紙の用紙に記録出力するため、機械的な制約があり、自動選択機能や自動画像回転機能の実現が困難な場合がある。
【０００５】
例えば、最低搬送長が、２８０ｍｍの場合、２９７ｍｍ幅ロール紙でＡ４横方向のカットを行う場合、副走査長は、２１０ｍｍとなるため、このサイズでのロール紙のカットは不可能である。ところが、従来の自動用紙選択機能や自動画像回転機能では、原稿サイズから転写紙可能なロール紙をロール紙幅で判断しているため、Ａ４横方向の原稿サイズから２９７ｍｍ幅ロール紙を選択し、最低搬送長でカットされ、用紙の仕上がりが、２９７ｍｍ×２８０ｍｍとなって、不定形サイズとなってしまい、適切な記録出力を行えないという問題があった。
【０００６】
また、広幅機では、従来から、給紙トレイに収納される用紙の紙種を予め設定して、紙種によって自動用紙選択機能の選択対象の給紙トレイから外す機能を備えたものがある。このような機能は、通常使用する用紙を普通紙として想定し、トレーシングペーパやフィルム等の特殊紙が、自動用紙選択機能によって不用意に選択されない利点があるが、給紙トレイが少ない広幅機や給紙トレイを１段しか備えていない広幅機では、自動用紙選択の対象とならない紙種の設定を行うと、自動用紙選択機能そのものが使用不可能になるという問題があった。一方、当初から紙種に関係なく自動用紙選択を行う広幅機もあり、このような場合には、ユーザが使用目的に合わせて任意に紙種を判定項目に加えるか否か設定ができないという問題があった。
【０００７】
さらに、広幅機では、長尺ロール紙を使用するのが一般的であるが、カット紙トレイを備えてカット紙に記録出力するものもあり、このようなカット紙に記録する広幅機の自動用紙選択では、原稿の主走査長で最適な給紙トレイを選択し、読み取った原稿の副走査長により原稿が定形サイズの場合にカット紙に複写を行っている。
【０００８】
このような広幅機で自動画像回転によって画像回転を行った場合に、主走査の一致するカット紙を選択することはできるが、画像方向がカット紙の方向と異なる場合、例えば、Ａ３縦サイズのカット紙が収納されている場合に、Ａ４横サイズの原稿を読み取らせると、原稿幅２９７ｍｍとＡ３縦サイズの主走査長が一致するため、Ａ３縦サイズのカット紙を選択して原稿の読み取りを継続するが、原稿の読み取りが終了した時点で、副走査長が２１０ｍｍであるため、Ａ３縦サイズの用紙に記録出力すると、用紙半分が白紙になるという問題があった。
【０００９】
そこで、請求項１記載の発明は、所定の最低搬送長を有し各種幅サイズの長尺のロール紙を収納して当該ロール紙を給紙するロール紙給紙手段の複数の幅サイズのロール紙のうち、サイズ検知手段の検知する原稿の主走査長と副走査長に基づいて、原稿の画像を非回転状態あるいは９０度または２７０度回転させた状態で記録するのに適したロール紙を自動選択して、原稿給紙手段から搬送されてくる原稿の画像を、読取手段で読み取って記録手段で記録し、当該画像を記録したロール紙を切断手段で所定の定形サイズに切断するに際して、ロール紙給紙手段の複数のロール紙の１つのロール紙を自動選択して、原稿の画像を９０度または２７０度回転させた状態で当該選択したロール紙に記録手段で記録して切断手段で切断する場合、当該ロール紙の自動選択において、当該切断手段での切断後の用紙の副走査長がロール紙給紙手段の最低搬送長よりも短いと、当該ロール紙を自動選択対象のロール紙から外すことにより、ロール紙給紙手段の最低搬送長が、切断されるロール紙の短手方向の寸法未満になってしまう場合にも、ユーザが意識することなく、原稿画像に適したロール紙を自動選択し、かつ、コピーを定形サイズで適切に行い、意図するコピーを簡単かつ容易に行って、利用性の良好な画像形成装置を提供することを目的としている。
【００１０】
請求項２記載の発明は、各種紙種及び各種サイズの用紙を収納する給紙手段の用紙のうち、サイズ検知手段の検知する原稿の主走査長と副走査長、給紙手段の用紙の紙種を設定する紙種設定手段で設定されている紙種及び用紙のサイズに基づいて、原稿の画像を非回転状態あるいは９０度または２７０度回転させた状態で記録するのに適したサイズと紙種の用紙を自動選択して、原稿給紙手段から給紙される原稿を読取手段で読み取って当該原稿の画像を記録手段で記録するに際して、給紙手段の複数の用紙の１つの用紙を自動選択する場合に、設定手段による用紙の紙種に基づく用紙の選択の制限を行うか否かの制限の有無の設定状態に基づいて、当該記録する用紙の自動選択を行うことにより、トレーシングペーパやフィルム等の特殊紙を用紙選択の対象とするか否かをユーザが適宜設定して、ユーザの使用目的や給紙手段の収納できる紙種や紙サイズの数に関わらず、適切な用紙を自動選択し、意図するコピーをより一層簡単かつ容易に行って、より一層利用性の良好な画像形成装置を提供することを目的としている。
【００１１】
請求項３記載の発明は、サイズ検知手段の検知する原稿の主走査長と副走査長に基づいて、読取手段の読み取った原稿の画像を非回転状態あるいは９０度または２７０度回転させた状態で記録手段で記録するのに適した用紙として、各種サイズのカット紙を収納して当該カット紙を給紙するカット紙給紙手段のカット紙を優先して自動選択し、カット紙給紙手段の複数サイズのカット紙の全てが、当該検知した主走査長及び副走査長に不適合であると、各種幅サイズの長尺のロール紙を収納して当該ロール紙を給紙するロール紙給紙手段のロール紙から原稿の画像を記録するロール紙を自動選択することにより、原稿の画像のサイズに適したカット紙を優先して自動選択するとともに、画像サイズに適したカット紙がない場合にも、カット紙の半分が余白になる画像記録を行うことなく、当該画像サイズに適したロール紙を自動選択して記録出力して、ミスコピーによる無駄な紙コストを削減して自動用紙選択によるコピーを安心して行えるようにし、意図するコピーをより一層簡単かつ容易に行って、より一層利用性の良好な画像形成装置を提供することを目的としている。
【００１２】
【課題を解決するための手段】
請求項１記載の発明の画像形成装置は、所定の最低搬送長を有し載置された原稿を給紙する原稿給紙手段と、原稿給紙手段で給紙された当該原稿を主走査及び副走査して当該原稿の画像を読み取る読取手段と、当該原稿の主走査長と副走査長を検知するサイズ検知手段と、各種幅サイズの長尺のロール紙を収納して当該ロール紙を給紙するロール紙給紙手段と、当該ロール紙給紙手段から送られてくるロール紙に前記読取手段で読み取った原稿の画像を記録出力する記録手段と、当該記録手段で画像の記録されたロール紙を所定の定形サイズで切断する切断手段と、を備え、前記ロール紙給紙手段の複数の幅サイズのロール紙のうち、前記検知した原稿の主走査長と副走査長に基づいて、前記原稿の画像を非回転状態あるいは９０度または２７０度回転させた状態で記録するのに適した前記ロール紙を自動選択して、当該原稿の画像を前記記録手段で記録して、当該画像を記録したロール紙を前記切断手段で切断する画像形成装置であって、前記ロール紙給紙手段の複数のロール紙の１つのロール紙を自動選択して、前記原稿の画像を９０度または２７０度回転させた状態で当該選択したロール紙に前記記録手段で記録して前記切断手段で切断する場合、当該ロール紙の自動選択において、当該切断手段での切断後の用紙の副走査長が前記原稿給紙手段の最低搬送長よりも短いと、当該ロール紙を前記選択対象のロール紙から外すことにより、上記目的を達成している。
【００１３】
上記構成によれば、所定の最低搬送長を有し各種幅サイズの長尺のロール紙を収納して当該ロール紙を給紙するロール紙給紙手段の複数の幅サイズのロール紙のうち、サイズ検知手段の検知する原稿の主走査長と副走査長に基づいて、原稿の画像を非回転状態あるいは９０度または２７０度回転させた状態で記録するのに適したロール紙を自動選択して、原稿給紙手段から搬送されてくる原稿の画像を、読取手段で読み取って記録手段で記録し、当該画像を記録したロール紙を切断手段で所定の定形サイズに切断するに際して、ロール紙給紙手段の複数のロール紙の１つのロール紙を自動選択して、原稿の画像を９０度または２７０度回転させた状態で当該選択したロール紙に記録手段で記録して切断手段で切断する場合、当該ロール紙の自動選択において、当該切断手段での切断後の用紙の副走査長がロール紙給紙手段の最低搬送長よりも短いと、当該ロール紙を自動選択対象のロール紙から外すので、ロール紙給紙手段の最低搬送長が使用する切断されたロール紙の短手方向の寸法未満になってしまう場合にも、ユーザが意識することなく、原稿画像に適したロール紙を自動選択することができるとともに、コピーを定形サイズで適切に行うことができ、意図するコピーを簡単かつ容易に行って、利用性を向上させることができる。
【００１４】
請求項２記載の発明の画像形成装置は、載置された原稿を給紙する原稿給紙手段と、原稿給紙手段で給紙された当該原稿を主走査及び副走査して当該原稿の画像を読み取る読取手段と、当該原稿の主走査長と副走査長を検知するサイズ検知手段と、各種紙種及び各種サイズの用紙を収納する給紙手段と、当該給紙手段の用紙の紙種を設定する紙種設定手段と、当該給紙手段から送られてくる用紙に前記読取手段で読み取った原稿の画像を記録出力する記録手段と、を備え、前記給紙手段の用紙のうち、前記検知した原稿の主走査長と副走査長、前記紙種設定手段で設定されている紙種及び前記用紙のサイズに基づいて、前記原稿の画像を非回転状態あるいは９０度または２７０度回転させた状態で記録するのに適したサイズと紙種の前記用紙を自動選択して、当該原稿の画像を前記記録手段で記録する画像形成装置であって、前記用紙の紙種に基づく前記用紙の選択の制限を行うか否かの制限の有無の設定を行う設定手段を備え、前記給紙手段の複数の用紙の１つの用紙を自動選択する場合に、前記設定手段による前記紙種による用紙の選択の制限の有無の設定状態に基づいて、当該記録する用紙の自動選択を行うことにより、上記目的を達成している。
【００１５】
上記構成によれば、各種紙種及び各種サイズの用紙を収納する給紙手段の用紙のうち、サイズ検知手段の検知する原稿の主走査長と副走査長、給紙手段の用紙の紙種を設定する紙種設定手段で設定されている紙種及び用紙のサイズに基づいて、原稿の画像を非回転状態あるいは９０度または２７０度回転させた状態で記録するのに適したサイズと紙種の用紙を自動選択して、原稿給紙手段から給紙される原稿を読取手段で読み取って当該原稿の画像を記録手段で記録するに際して、給紙手段の複数の用紙の１つの用紙を自動選択する場合に、設定手段による用紙の紙種に基づく用紙の選択の制限を行うか否かの制限の有無の設定状態に基づいて、当該記録する用紙の自動選択を行うので、トレーシングペーパやフィルム等の特殊紙を用紙選択の対象とするか否かをユーザが適宜設定して、ユーザの使用目的や給紙手段の収納できる紙種や紙サイズの数に関わらず、適切な用紙を自動選択することができ、意図するコピーをより一層簡単かつ容易に行って、より一層利用性を向上させることができる。
【００１６】
請求項３記載の発明の画像形成装置は、載置された原稿を給紙する原稿給紙手段と、原稿給紙手段で給紙された当該原稿を主走査及び副走査して当該原稿の画像を読み取る読取手段と、当該原稿の主走査長と副走査長を検知するサイズ検知手段と、各種サイズのカット紙を収納して当該カット紙を給紙するカット紙給紙手段と、各種幅サイズの長尺のロール紙を収納して当該ロール紙を給紙するロール紙給紙手段と、当該カット紙給紙手段または当該ロール紙給紙手段から送られてくる用紙に前記読取手段で読み取った原稿の画像を記録出力する記録手段と、当該記録手段で記録されたロール紙を所定の定形サイズで切断する切断手段と、を備えた画像形成装置であって、前記検知した原稿の主走査長と副走査長に基づいて、前記原稿の画像を非回転状態あるいは９０度または２７０度回転させた状態で記録するのに適した用紙として前記カット紙を優先して自動選択し、前記カット紙給紙手段の前記複数サイズのカット紙の全てが、当該検知した主走査長及び副走査長に不適合であると、前記ロール紙給紙手段の前記ロール紙から前記原稿の画像を記録するロール紙を自動選択することにより、上記目的を達成している。
【００１７】
上記構成によれば、サイズ検知手段の検知する原稿の主走査長と副走査長に基づいて、読取手段の読み取った原稿の画像を非回転状態あるいは９０度または２７０度回転させた状態で記録手段で記録するのに適した用紙として、各種サイズのカット紙を収納して当該カット紙を給紙するカット紙給紙手段のカット紙を優先して自動選択し、カット紙給紙手段の複数サイズのカット紙の全てが、当該検知した主走査長及び副走査長に不適合であると、各種幅サイズの長尺のロール紙を収納して当該ロール紙を給紙するロール紙給紙手段のロール紙から原稿の画像を記録するロール紙を自動選択するので、原稿の画像のサイズに適したカット紙を優先して自動選択するとともに、画像サイズに適したカット紙がない場合にも、カット紙の半分が余白になる画像記録を行うことなく、当該画像サイズに適したロール紙を自動選択して記録出力して、ミスコピーによる無駄な紙コストを削減して自動用紙選択によるコピーを安心して行えるようにすることができ、意図するコピーをより一層簡単かつ容易に行って、より一層利用性を向上させることができる。
【００１８】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００１９】
図１〜図５は、本発明の画像形成装置の一実施の形態を示す図であり、図１は、本発明の画像形成装置の一実施の形態を適用した画像形成装置１の概略ブロック図である。
【００２０】
図１において、画像形成装置１は、ＣＰＵ（Ｃｅｎｔｒａｌ  Ｐｒｏｃｅｓｓｉｎｇ  Ｕｎｉｔ  ）２、ＲＯＭ（Ｒｅａｄ  Ｏｎｌｙ  Ｍｅｍｏｒｙ）３、ＲＡＭ（Ｒａｎｄｏｍ  Ａｃｃｅｓｓ  Ｍｅｍｏｒｙ）４、エンジンＩ／Ｏ５、スキャナ６、プロッタ７、画像処理部８、操作部Ｉ／Ｆ９、操作キー１０及び操作パネル１１等を備えており、主要各部は、バス１２により接続されている。
【００２１】
ＲＯＭ３は、画像形成装置１としての基本制御プログラム及び本発明の自動画像回転用紙選択制御処理プログラムを格納するとともに、各プログラムを実行するのに必要なシステムデータ等を格納している。
【００２２】
ＲＡＭ４は、ＣＰＵ２のワークメモリとして利用されるとともに、画像形成装置１の基本制御処理及び本発明の自動画像回転用紙選択制御処理を実行するのに必要な各種データを記憶する。
【００２３】
ＣＰＵ２は、ＲＯＭ３内のプログラムに基づいて、画像形成装置１の各部を制御して、画像形成装置１としての基本制御処理及び本発明の自動画像回転用紙選択制御処理を実行する。
【００２４】
エンジンＩ／Ｏ５には、読取エンジン及び記録エンジンとして、スキャナ６及びプロッタ７が接続されており、エンジンＩ／Ｏ５は、読取データ、印刷データ及び制御データ等をエンジンとしてのスキャナ６及びプロッタ７に出力するとともに、スキャナ６及びプロッタ７から現在のステイタス情報（エラー情報、トレイ情報等）を受け取る。
【００２５】
スキャナ（原稿給紙手段、読取手段、サイズ検知手段）６は、例えば、ＣＣＤ（Ｃｈａｒｇｅ  Ｃｏｕｐｌｅｄ  Ｄｅｖｉｃｅ）を利用したイメージスキャナが利用されており、セットされた原稿を読取位置に給紙して、当該給紙した原稿を走査して原稿の画像を所定の解像度で読み取って、読み取った画像データをエンジンＩ／Ｏ５を介してＲＡＭ４に出力する。特に、スキャナ６は、原稿の主走査長及び副走査長を検知し、エンジンＩ／Ｏ５を介してＣＰＵ２に出力するとともに、原稿を主走査方向及び副走査方向に指定された解像度で読み取って、ドット単位でデジタル画像データとして、エンジンＩ／Ｏ５を介してＲＡＭ４に出力する。
【００２６】
プロッタ（ロール紙給紙手段、給紙手段、カット紙給紙手段、記録手段）７は、図示しないが、それぞれ幅サイズの異なるロール紙を収納して給紙する複数の給紙トレイ（ロール紙給紙手段）と、それぞれサイズの異なるカット記録紙を収納して給紙する複数のカセットトレイ（カット紙給紙手段）と、を備えており、また、各給紙トレイ及びカセットトレイには、各種用紙種類（紙種）の用紙（記録紙）を収納可能となっている。プロッタ７は、給紙トレイからロール紙を記録部に搬送して、当該記録部で画像形成するが、このロール紙の搬送においては、最低搬送長を有している。
【００２７】
プロッタ７は、ＣＰＵ２からの指示に応じて給紙トレイまたはカセットトレイを決定して、当該決定された給紙トレイまたはカセットトレイに収納されている用紙に所定の記録方式、例えば、電子写真方式等で、エンジンＩ／Ｏ５を介して入力される画像データに基づいて記録を行い、図示しない排紙トレイに排出する。プロッタ７は、カッター（切断手段）を備えており、ロール紙に記録したときには、ＣＰＵ２の制御下で、当該ロール紙を原稿サイズに応じた定形サイズで切断する。
【００２８】
画像処理部８は、一旦ＲＡＭ４に格納された画像データが入力され、ＣＰＵ２の制御下で、必要な各種画像処理を行うとともに、変倍処理や９０度または２７０度の回転処理を行って、エンジンＩ／Ｏ５を介してプロッタ７に出力する。
【００２９】
操作部Ｉ／Ｆ９には、操作キー１０と操作パネル１１が接続されており、操作キー（紙種設定手段、設定手段）１０からは、画像形成装置１を操作するのに必要な各種操作、特に、後述する自動画像回転用紙選択制御処理に必要な各種設定操作、例えば、プロッタ７のカセットトレイの紙種の設定や紙種に基づく自動用紙選択を行うか否かの設定等が行われる。
【００３０】
操作パネル１１は、ＬＣＤ（Ｌｉｑｕｉｄ  Ｃｒｙｓｔａｌ  Ｄｉｓｐｌａｙ）やＬＥＤ（Ｌｉｇｈｔ  Ｅｍｉｔｔｉｎｇ  Ｄｉｏｄｅ）等を備え、操作キー１０から入力されたキー操作内容や画像形成装置１からユーザに通知する各種情報を表示出力する。
【００３１】
すなわち、画像形成装置１は、操作キー１０から入力された操作キー情報を、操作部Ｉ／Ｆ９を介してＲＯＭ３で受信して、ＲＯＭ３内のプログラムによって倍率情報、余白及び画像欠け等のメッセージ情報として、操作部Ｉ／Ｆ９を介して操作パネル１１に転送し、操作パネル１１のＬＣＤに表示し、また、ＬＥＤの点灯・消灯を行う。
【００３２】
次に、本実施の形態の作用を説明する。画像形成装置１は、原稿に合わせて用紙を自動選択するとともに画像の回転を行う自動画像回転用紙選択処理を行うところにその特徴がある。なお、以下の説明では、プロッタ７の給紙トレイの各ロール紙収納部及びカセットトレイの各カット紙の収納部をそれぞれ給紙段という。
【００３３】
画像形成装置１は、図２に示すように、スキャナ６の原稿台に原稿がセットされると（ステップＳ１０１）、スキャナ６のセンサが原稿の主走査幅の検知を行って、検知結果をＣＰＵ２に出力し、ＣＰＵ２が当該検知された原稿の主走査幅を変数ｏｒｇ＿ｗに格納する（ステップＳ１０２）。
【００３４】
ＣＰＵ２は、主走査から回転無しの給紙段候補を決定して、当該決定した給紙段番号を変数ａに格納する給紙段仮決定処理Ａを行い（ステップＳ１０３）、また、主走査から回転ありの給紙段を決定して、当該決定した給紙段番号を変数ｂまたは変数ｃに格納する給紙段仮決定処理Ｂを行う（ステップＳ１０４）。この変数ｂは、原稿の主走査を定形縦サイズと見なした場合の副走査長と合致する給紙段を検索して、合致した給紙段番号であり、原稿画像を縦方向から横方向に回転してコピーを行う給紙段番号である。また、変数ｃは、原稿の主走査を定形横サイズと見なした場合の副走査長と合致する給紙段を検索して、合致した給紙段番号であり、原稿画像を横方向から縦方向に回転してコピーを行う給紙段番号である。上記給紙段仮決定処理Ａと給紙段仮決定処理Ｂについては、後で詳細に説明する。
【００３５】
ＣＰＵ２は、次に、エンジンＩ／Ｏ５を介してスキャナ６の原稿の搬送を開始して、当該原稿の読み取りを開始し（ステップＳ１０５）、原稿の読み取りを完了したかチェックして（ステップＳ１０６）、原稿の読み取りが完了するまで、スキャナ６による原稿の読み取りを行う。
【００３６】
ステップＳ１０６で、原稿の読み取りが完了すると、スキャナ６での原稿の先端部から後端部までの検知によって原稿の副走査長を算出して、算出した原稿の副走査長を変数ｏｒｇ＿ｌｅｎに格納し（ステップＳ１０７）、給紙段仮決定処理Ａで求めた給紙段番号ａを定形サイズとした場合の副走査長を、変数ａ＿ｌｅｎに格納する（ステップＳ１０８）。
【００３７】
次に、ＣＰＵ２は、図３に示すように、変数ｏｒｇ＿ｌｅｎと変数ａ＿ｌｅｎを比較して（ステップＳ１０９）、両変数が合致するときには、給紙段番号ａを今回の原稿のコピーの給紙段として決定し（ステップＳ１１０）、スキャナ６で読み取った原稿の画像データをプロッタ７に転送して、プロッタ７で当該給紙段の用紙に記録出力するコピー動作を行って、処理を終了する（ステップＳ１１１）。このコピー動作では、原稿の画像を回転させないコピーを行う。
【００３８】
ステップＳ１０９で、変数ｏｒｇ＿ｌｅｎと変数ａ＿ｌｅｎが合致しないときには、ＣＰＵ２は、給紙段仮決定処理Ｂで求めた給紙段番号ｂの用紙の主走査幅（給紙段番号ｂの主走査長）を変数ｂ＿ｌｅｎに格納し（ステップＳ１１２）、変数ｏｒｇ＿ｌｅｎと変数ｂ＿ｌｅｎが一致し、かつ、変数ｂ＿ｌｅｎがプロッタ７の最低搬送長以上であるかどうか判定する（ステップＳ１１３）。
【００３９】
ステップＳ１１３で、変数ｏｒｇ＿ｌｅｎと変数ｂ＿ｌｅｎが一致し、かつ、変数ｂ＿ｌｅｎが最低搬送長以上であるときには、ＣＰＵ２は、給紙段番号ｂを今回の原稿のコピーの給紙段として決定し（ステップＳ１１４）、スキャナ６で読み取った原稿の画像データをプロッタ７に転送して、プロッタ７で当該給紙段の用紙に記録出力するコピー動作を行って、処理を終了する（ステップＳ１１５）。このコピー動作では、原稿の画像の縦方向を横方向に回転したコピーを行う。
【００４０】
ステップＳ１１３で、変数ｏｒｇ＿ｌｅｎと変数ｂ＿ｌｅｎが一致し、かつ、変数ｂ＿ｌｅｎが最低搬送長以上であるという条件が満たされないときには、ＣＰＵ２は、給紙段仮決定処理Ｂで求めた給紙段番号ｃの用紙の主走査幅（給紙段番号ｃの主走査長）を変数ｃ＿ｌｅｎに格納し（ステップＳ１１６）、変数ｏｒｇ＿ｌｅｎと変数ｃ＿ｌｅｎが一致するかどうか判定する（ステップＳ１１７）。なお、この場合、原稿の画像の横方向から縦方向への回転となり、最低搬送長については問題とならないため、変数ｃ＿ｌｅｎが最低搬送長以上であるかどうかの判定は行わない。
【００４１】
ステップＳ１１７で、変数ｏｒｇ＿ｌｅｎと変数ｃ＿ｌｅｎが一致するときには、ＣＰＵ２は、給紙段番号ｃを今回の原稿のコピーの給紙段として決定し（ステップＳ１１８）、スキャナ６で読み取った原稿の画像データをプロッタ７に転送して、プロッタ７で当該給紙段の用紙に記録出力するコピー動作を行って、処理を終了する（ステップＳ１１５）。このコピー動作では、原稿の画像の横方向を縦方向に回転したコピーを行う。
【００４２】
ステップＳ１１７で、変数ｏｒｇ＿ｌｅｎと変数ｃ＿ｌｅｎが一致しないときには、ＣＰＵ２は、自動用紙選択による適切な給紙段がないと判断して、コピー動作を行うことなく、処理を終了する（ステップＳ１１９）。
【００４３】
次に、上記ステップＳ１０３の給紙段仮決定処理Ａについて、図４に基づいて説明する。給紙段仮決定処理Ａでは、ＣＰＵ２は、まず、変数ｎを初期化して０クリアし（ステップＳ２０１）、予め優先給紙段順に格納したバッファの先頭から給紙段（ｎ段目）の用紙幅情報とステップＳ１０２で格納した原稿の主走査長ｏｒｇ＿ｗとを比較して一致するかどうか判定する（ステップＳ２０２）。
【００４４】
ステップＳ２０２で、一致すると、ＣＰＵ２は、ｎ段目の給紙段の用紙の紙種が自動用紙選択に適合するか否か、また、紙種の適合を行うか否かの判定を行い（ステップＳ２０３）、紙種の適合を行わない設定状態、または、自動用紙選択に適合する紙種であると、給紙段候補として、変数ａにｎの給紙段番号を格納して、リターンして変数ａを返す（ステップＳ２０４）。
【００４５】
ステップＳ２０３で、紙種の適合を行う設定であり、かつ、自動用紙選択に適合しない紙種である場合には、ＣＰＵ２は、変数ｎを「１」だけインクリメント（ｎ＝ｎ＋１）して（ステップＳ２０５）、変数ｎが画像形成装置１のプロッタ７の備えている給紙段数の最大数を超えているかチェックし（ステップＳ２０６）、変数ｎが最大給紙段数以下であると、全ての給紙段について処理が終了していないと判断して、ステップＳ２０２に戻って、上記同様に処理する（ステップＳ２０２〜Ｓ２０６）。
【００４６】
ステップＳ２０６で、変数ｎが最大給紙段数を越えると、ＣＰＵ２は、全ての給紙段について処理が終了したと判断して、変数ａに給紙段候補無しを格納して、リターンして変数ａを返す（ステップＳ２０７）。
【００４７】
次に、上記ステップＳ１０４の給紙段仮決定処理Ｂについて、図５に基づいて説明する。給紙段仮決定処理Ｂでは、ＣＰＵ２は、ステップＳ１０２で格納した原稿の主走査長ｏｒｇ＿ｗから原稿を縦方向と見なした副走査長を求め、変数ｌｅｎ＿ｔに格納し、また、原稿を横方向と見なした副走査長を求め、変数ｌｅｎ＿ｙに格納する（ステップＳ３０１）。
【００４８】
ＣＰＵ２は、変数ｎを初期化して０クリアし（ステップＳ３０２）、予め優先給紙段順に格納したバッファの先頭から給紙段（ｎ段目）の用紙幅情報と、変数ｌｅｎｔ＿ｔを比較して一致するか判定し、かつ、給紙段（ｎ段目）の用紙が縦カット紙か否かの判定を行う（ステップＳ３０３）。
【００４９】
ステップＳ３０３で、給紙段（ｎ段目）の用紙幅情報と変数ｌｅｎｔ＿ｔが一致し、かつ、給紙段（ｎ段目）の用紙が縦カット紙でないときには、さらに、ｎ段目の給紙段の用紙の紙種が自動用紙選択に適合するか否か、また、紙種の適合を行うか否かの判定を行い（ステップＳ３０４）、紙種の適合を行わない設定状態、または、自動用紙選択に適合する紙種であると、給紙段候補として、変数ｂにｎの給紙段番号を格納して、ステップＳ３０９に移行する（ステップＳ３０５）。
【００５０】
ステップＳ３０４で、紙種の適合を行う設定であり、かつ、自動用紙選択に適合しない紙種である場合には、ＣＰＵ２は、変数ｎを「１」だけインクリメント（ｎ＝ｎ＋１）して（ステップＳ３０６）、変数ｎが画像形成装置１のプロッタ７の備えている給紙段数の最大数を超えているかチェックし（ステップＳ３０７）、また、ステップＳ３０３で、給紙段（ｎ段目）の用紙幅情報と変数ｌｅｎｔ＿ｔが一致しないか、給紙段（ｎ段目）の用紙が縦カット紙であるときには、変数ｎを「１」だけインクリメント（ｎ＝ｎ＋１）して（ステップＳ３０６）、変数ｎが画像形成装置１のプロッタ７の備えている給紙段数の最大数を超えているかチェックする（ステップＳ３０７）。
【００５１】
ステップＳ３０７で、変数ｎが最大給紙段数以下であると、ＣＰＵ２は、全ての給紙段について処理が終了していないと判断して、ステップＳ３０３に戻って、上記同様に処理し（ステップＳ３０３〜Ｓ３０７）、合致する給紙段がないまま、ステップＳ３０７で、変数ｎが最大給紙段数を越えると、全ての給紙段について処理が終了したと判断して、変数ｂに給紙段候補無しを格納して、変数ｎを初期化して０クリアする（ステップＳ３０９）。
【００５２】
ＣＰＵ２は、変数ｎを０クリアすると、予め優先給紙段順に格納したバッファの先頭から給紙段（ｎ段目）の用紙幅情報と変数ｌｅｎｔ＿ｙが一致し、かつ、給紙段（ｎ段目）の用紙が横カット紙であるか否かの判定を行う（ステップＳ３１０）。
【００５３】
ステップＳ３１０で、給紙段（ｎ段目）の用紙幅情報と変数ｌｅｎｔ＿ｙが一致し、かつ、給紙段（ｎ段目）の用紙が横カット紙ではないときには、さらに、ｎ段目の給紙段の用紙の紙種が自動用紙選択に適合するか否か、また、紙種の適合を行うか否かの判定を行い（ステップＳ３１１）、紙種の適合を行わない設定状態、または、自動用紙選択に適合する紙種であると、給紙段候補として、変数ｃにｎの給紙段番号を格納して、リターンして変数ｂと変数ｃを返す（ステップＳ３１２）。
【００５４】
ステップＳ３１１で、紙種の適合を行う設定であり、かつ、自動用紙選択に適合しない紙種である場合には、ＣＰＵ２は、変数ｎを「１」だけインクリメント（ｎ＝ｎ＋１）して（ステップＳ３１３）、変数ｎが画像形成装置１のプロッタ７の備えている給紙段数の最大数を超えているかチェックし（ステップＳ３１４）、また、ステップＳ３１０で、給紙段（ｎ段目）の用紙幅情報と変数ｌｅｎｔ＿ｙが一致しないか、給紙段（ｎ段目）の用紙が横カット紙であるときには、変数ｎを「１」だけインクリメント（ｎ＝ｎ＋１）して（ステップＳ３１３）、変数ｎが画像形成装置１のプロッタ７の備えている給紙段数の最大数を超えているかチェックする（ステップＳ３１４）。
【００５５】
ステップＳ３１４で、変数ｎが最大給紙段数以下であると、ＣＰＵ２は、全ての給紙段について処理が終了していないと判断して、ステップＳ３１０に戻って、上記同様に処理し（ステップＳ３１０〜Ｓ３１４）、合致する給紙段がないまま、ステップＳ３１４で、変数ｎが最大給紙段数を越えると、全ての給紙段について処理が終了したと判断して、変数ｃに給紙段候補無しを格納して、リターンして変数ｂと変数ｃを返す（ステップＳ３１５）。
【００５６】
このように、本実施の形態の画像形成装置１は、各種幅サイズの長尺のロール紙を収納する給紙トレイの複数の幅サイズのロール紙のうち、原稿の主走査長と副走査長に基づいて、原稿の画像を非回転状態あるいは９０度または２７０度回転させた状態で記録するのに適したロール紙を自動選択して、スキャナ６で読み取った原稿の画像を、プロッタ７で記録し、当該画像を記録したロール紙をプロッタ７のカッターで所定の定形サイズに切断するに際して、プロッタ７の給紙トレイの複数のロール紙の１つのロール紙を自動選択して、原稿の画像を９０度または２７０度回転させた状態で当該選択したロール紙にプロッタ７で記録して切断する場合、当該ロール紙の自動選択において、当該切断後の用紙の副走査長が給紙トレイからのロール紙の最低搬送長よりも短いと、当該ロール紙を自動選択対象のロール紙から外している。
【００５７】
したがって、最低搬送長が使用するロール紙の短手方向の寸法未満になってしまう場合にも、ユーザが意識することなく、原稿画像に適したロール紙を自動選択することができるとともに、コピーを定形サイズで適切に行うことができ、意図するコピーを簡単かつ容易に行って、利用性を向上させることができる。
【００５８】
また、本実施の形態の画像形成装置１は、各種紙種及び各種サイズの用紙を収納するカセットトレイと給紙トレイの用紙のうち、原稿の主走査長と副走査長、操作キー１０で設定されている紙種及び用紙のサイズに基づいて、原稿の画像を非回転状態あるいは９０度または２７０度回転させた状態で記録するのに適したサイズと紙種の用紙を自動選択して、スキャナ６で読み取った原稿の画像をプロッタ７で記録するに際して、複数の用紙の１つの用紙を自動選択する場合に、操作キー１０による用紙の紙種に基づく用紙の選択の制限を行うか否かの制限の有無の設定状態に基づいて、当該記録する用紙の自動選択を行っている。
【００５９】
したがって、トレーシングペーパやフィルム等の特殊紙を用紙選択の対象とするか否かをユーザが適宜設定して、ユーザの使用目的や給紙手段の収納できる紙種や紙サイズの数に関わらず、適切な用紙を自動選択することができ、意図するコピーをより一層簡単かつ容易に行って、より一層利用性を向上させることができる。
【００６０】
さらに、本実施の形態の画像形成装置１は、原稿の主走査長と副走査長に基づいて、スキャナ６の読み取った原稿の画像を非回転状態あるいは９０度または２７０度回転させた状態でプロッタ７で記録するのに適した用紙として、各種サイズのカット紙を収納して当該カット紙を給紙するカセットトレイのカット紙を優先して自動選択し、カセットトレイの複数サイズのカット紙の全てが、当該原稿の主走査長及び副走査長に不適合であると、各種幅サイズの長尺のロール紙を収納する給紙トレイのロール紙から原稿の画像を記録するロール紙を自動選択している。
【００６１】
したがって、原稿の画像のサイズに適したカット紙を優先して自動選択するとともに、画像サイズに適したカット紙がない場合にも、カット紙の半分が余白になる画像記録を行うことなく、当該画像サイズに適したロール紙を自動選択して記録出力して、ミスコピーによる無駄な紙コストを削減して自動用紙選択によるコピーを安心して行うことができ、意図するコピーをより一層簡単かつ容易に行って、より一層利用性を向上させることができる。
【００６２】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００６３】
【発明の効果】
請求項１記載の発明の画像形成装置によれば、所定の最低搬送長を有し各種幅サイズの長尺のロール紙を収納して当該ロール紙を給紙するロール紙給紙手段の複数の幅サイズのロール紙のうち、サイズ検知手段の検知する原稿の主走査長と副走査長に基づいて、原稿の画像を非回転状態あるいは９０度または２７０度回転させた状態で記録するのに適したロール紙を自動選択して、原稿給紙手段から搬送されてくる原稿の画像を、読取手段で読み取って記録手段で記録し、当該画像を記録したロール紙を切断手段で所定の定形サイズに切断するに際して、ロール紙給紙手段の複数のロール紙の１つのロール紙を自動選択して、原稿の画像を９０度または２７０度回転させた状態で当該選択したロール紙に記録手段で記録して切断手段で切断する場合、当該ロール紙の自動選択において、当該切断手段での切断後の用紙の副走査長がロール紙給紙手段の最低搬送長よりも短いと、当該ロール紙を自動選択対象のロール紙から外すので、ロール紙給紙手段の最低搬送長が使用する切断されたロール紙の短手方向の寸法未満になってしまう場合にも、ユーザが意識することなく、原稿画像に適したロール紙を自動選択することができるとともに、コピーを定形サイズで適切に行うことができ、意図するコピーを簡単かつ容易に行って、利用性を向上させることができる。
【００６４】
請求項２記載の発明の画像形成装置によれば、各種紙種及び各種サイズの用紙を収納する給紙手段の用紙のうち、サイズ検知手段の検知する原稿の主走査長と副走査長、給紙手段の用紙の紙種を設定する紙種設定手段で設定されている紙種及び用紙のサイズに基づいて、原稿の画像を非回転状態あるいは９０度または２７０度回転させた状態で記録するのに適したサイズと紙種の用紙を自動選択して、原稿給紙手段から給紙される原稿を読取手段で読み取って当該原稿の画像を記録手段で記録するに際して、給紙手段の複数の用紙の１つの用紙を自動選択する場合に、設定手段による用紙の紙種に基づく用紙の選択の制限を行うか否かの制限の有無の設定状態に基づいて、当該記録する用紙の自動選択を行うので、トレーシングペーパやフィルム等の特殊紙を用紙選択の対象とするか否かをユーザが適宜設定して、ユーザの使用目的や給紙手段の収納できる紙種や紙サイズの数に関わらず、適切な用紙を自動選択することができ、意図するコピーをより一層簡単かつ容易に行って、より一層利用性を向上させることができる。
【００６５】
請求項３記載の発明の画像形成装置によれば、サイズ検知手段の検知する原稿の主走査長と副走査長に基づいて、読取手段の読み取った原稿の画像を非回転状態あるいは９０度または２７０度回転させた状態で記録手段で記録するのに適した用紙として、各種サイズのカット紙を収納して当該カット紙を給紙するカット紙給紙手段のカット紙を優先して自動選択し、カット紙給紙手段の複数サイズのカット紙の全てが、当該検知した主走査長及び副走査長に不適合であると、各種幅サイズの長尺のロール紙を収納して当該ロール紙を給紙するロール紙給紙手段のロール紙から原稿の画像を記録するロール紙を自動選択するので、原稿の画像のサイズに適したカット紙を優先して自動選択するとともに、画像サイズに適したカット紙がない場合にも、カット紙の半分が余白になる画像記録を行うことなく、当該画像サイズに適したロール紙を自動選択して記録出力して、ミスコピーによる無駄な紙コストを削減して自動用紙選択によるコピーを安心して行えるようにすることができ、意図するコピーをより一層簡単かつ容易に行って、より一層利用性を向上させることができる。
【図面の簡単な説明】
【図１】本発明の画像形成装置の一実施の形態を適用した画像形成装置の概略ブロック構成図。
【図２】図１の画像形成装置による自動画像回転用紙選択処理を示すフローチャート。
【図３】図１の自動画像回転用紙選択処理の続きの処理を示すフローチャート。
【図４】図２の自動画像回転用紙選択処理の給紙段仮決定処理Ａの詳細な処理を示すフローチャート。
【図５】図２の自動画像回転用紙選択処理の給紙段仮決定処理Ｂの詳細な処理を示すフローチャート。
【符号の説明】
１  画像形成装置
２  ＣＰＵ
３  ＲＯＭ
４  ＲＡＭ
５  エンジンＩ／Ｏ
６  スキャナ
７  プロッタ
８  画像処理部
９  操作部Ｉ／Ｆ
１０  操作キー
１１  操作パネル
１２  バス
【図１】
2005007694.tif 000003
【図２】
2005007694.tif 000004
【図３】
2005007694.tif 000005
【図４】
2005007694.tif 000006
【図５】
2005007694.tif 000007